(57)【特許請求の範囲】
【請求項１】
前面に貯蔵物の取り出し口を開口し、該取り出し口の左右両側縁に沿ってガイドレールを配設し、該ガイドレールに上下動を案内されて前記取り出し口を開閉するスライドドアを設け、該スライドドアの下端の左右両側にロック部材を固定して、スライドドアの開閉移動時に該ロック部材の突出端が前記ガイドレールの溝底を摺接するようにするとともに、前記取り出し口の開閉時には移動するスライドドアの両側端面に弾接する左右一対の弾接ロック部材を前記ガイドレールに設けてなる貯蔵庫において、
前記ロック部材は、前記スライドドアが前記取り出し口の全閉若しくは全開位置に移動したとき、前記弾接ロック部材に弾接してロックされるとともに、該ロック部材の突出端が前記ガイドレールの溝底に接する形状に形成されていることを特徴とする貯蔵庫。
【請求項２】
前記弾接ロック部材を少なくともスライドドアの開閉移動距離内に配設したことを特徴とする請求項１に記載の貯蔵庫。
【請求項３】
前記スライドドアの開閉移動距離を、該スライドドアの縦寸法より少なくし、開閉移動距離の上端に移動したときのスライドドアの下端位置と、開閉移動距離の下端に移動したときのスライドドアの上端位置との間に、前記弾接ロック部材を配設したことを特徴とする請求項１に記載の貯蔵庫。
【請求項４】
前記スライドドアが上下動する際、前記貯蔵室の前面を摺擦する庫内空気の洩れ防止部材を、スライドドアの裏面の下端縁に沿って設けたことを特徴とする請求項１乃至請求項３の何れかに記載の貯蔵庫。
【請求項５】
前記貯蔵室の前面に、該前面から後退する段差を形成し、前記スライドドアを移動させて前記取りだし口を全閉したとき、該段差に弾接する庫内空気の洩れ防止用ラバー部材を、スライドドアの裏面の下端縁に沿って設けたことを特徴とする請求項１乃至請求項３の何れかに記載の貯蔵庫。
【発明の詳細な説明】
【０００１】
【発明の属する技術分野】
本発明は、スライドドアを貯蔵室前面で上下動させ、貯蔵物の取り出し口を開閉するようにした貯蔵庫に関するものである。
【０００２】
【従来の技術】
特開平１１−１４２３９号に開示された冷蔵庫の扉ユニットは、冷蔵庫前面に配設される扉枠体により、一対の扉を上下方向に引き違い可能に保持するとともに、各扉には錘を連結してバランスさせたものである。この一対の扉を個々に上下動させることにより、冷蔵庫の前面開口の上半分若しくは下半分を開閉することができる。
【０００３】
【発明が解決しようとする課題】
しかしながら、上記扉ユニットは、扉がそれぞれ錘によりバランスされているため、扉ユニットが重くなり冷蔵庫前面への取付構造を強固なものにする必要がある。また、扉枠体に一対の扉を上下方向に引き違い可能い保持する構成であるため、上下動する一対の扉と冷蔵庫の前面の隙間からの庫内冷気の洩れ防止対策が複雑となる。
本発明は、上記問題点を解決するためになされたもので、前面開口を開閉するスライドドアの取付けが容易であるとともに、庫内空気の洩れ防止構造が簡単な貯蔵庫を提供することを目的とする。
【０００４】
【課題を解決するための手段】
上記目的を達成するために請求項１に記載された本発明の貯蔵庫は、前面に貯蔵物の取り出し口を開口し、該取り出し口の左右両側縁に沿ってガイドレールを配設し、該ガイドレールに上下動を案内されて前記取り出し口を開閉するスライドドアを設け、該スライドドアの下端の左右両側にロック部材を固定して、スライドドアの開閉移動時に該ロック部材の突出端が前記ガイドレールの溝底を摺接するようにするとともに、前記取り出し口の開閉時には移動するスライドドアの両側端面に弾接する左右一対の弾接ロック部材を前記ガイドレールに設けてなる貯蔵庫において、前記ロック部材は、前記スライドドアが前記取り出し口の全閉若しくは全開位置に移動したとき、前記弾接ロック部材に弾接してロックされるとともに、該ロック部材の突出端が前記ガイドレールの溝底に接する形状に形成されていることを特徴とする。
【０００５】
請求項２に記載の貯蔵庫は、請求項１に記載の構成において、前記弾接ロック部材を少なくともスライドドアの開閉移動距離内に配設したことを特徴とする。
【０００６】
請求項３に記載の貯蔵庫は、請求項１に記載の構成において、前記スライドドアの開閉移動距離を、該スライドドアの縦寸法より少なくし、開閉移動距離の上端に移動したときのスライドドアの下端位置と、開閉移動距離の下端に移動したときのスライドドアの上端位置との間に、前記弾接ロック部材を配設したことを特徴とする。
【０００７】
請求項４に記載の貯蔵庫は、請求項１乃至請求項３の何れかに記載の構成において、前記スライドドアが上下動する際、前記貯蔵室の前面を摺擦する庫内空気の洩れ防止部材を、スライドドアの裏面の下端縁に沿って設けたことを特徴とする。
【０００８】
請求項５に記載の貯蔵庫は、請求項１乃至請求項３の何れかに記載の構成において、前記貯蔵室の前面に、該前面から後退する段差を形成し、前記スライドドアを移動させて前記取りだし口を全閉したとき、該段差に弾接する庫内空気の洩れ防止用ラバー部材を、スライドドアの裏面の下端縁に沿って設けたことを特徴とする。
【０００９】
【発明の作用及び効果】
請求項１に記載の貯蔵庫によれば、スライドドアの下端の左右両側に固定したロック部材の突出端がスライドドアの開閉移動時にガイドレールの溝底を摺接する。そして、スライドドアを貯蔵物の取りだし口の全閉位置若しくは全開位置に移動させると、該スライドドアの下端の左右両側に固定したロック部材に、ガイドレールに設けた左右一対の弾接ロック部材が弾接して該ロック部材をロックし、スライドドアを保持する。このとき、ロック部材の突出端がガイドレールの溝底に接触しているから、取り出し口が気密に閉塞されて冷気漏れを防止できる。
【００１０】
請求項２に記載の貯蔵庫によれば、弾接ロック部材を少なくともスライドドアの開閉移動距離内に配設したから、スライドドアの開閉移動中は常時弾接ロック部材が両側端面に弾接し、スライドドアのガタツキを防止して円滑に開閉移動できる。
【００１１】
請求項３に記載の貯蔵庫によれば、スライドドアの開閉移動距離を、該スライドドアの縦寸法より少なくし、開閉移動距離の上端に移動したときのスライドドアの下端位置と、開閉移動距離の下端に移動したときのスライドドアの上端位置との間に、前記弾接ロック部材を配設したから、スライドドアが上端に移動すると、該スライドドアの下端両側に設けたロック部材に弾接ロック部材が弾接してロックする。スライドドアの下降移動中は、弾接ロック部材が両側端面に弾接する。従って、弾接ロック部材は上記の位置に配設する一組だけで済む。
【００１２】
請求項４に記載の貯蔵庫によれば、スライドドアが上下動する際、スライドドアの裏面の下端縁に沿って設けた庫内空気の洩れ防止部材が、貯蔵室の前面を摺擦する。従って、スライドドアの全閉時、該スライドドアと貯蔵室の前面との隙間を塞ぐことができ、庫内空気の洩れを防止できる。また、この構成を貯氷庫や冷却貯蔵庫に採用すれば、断熱性能を向上できるとともに、冷気洩れを防止できて前面に結露を生じることがない。
【００１３】
請求項５に記載の貯蔵庫によれば、スライドドアの全閉時、スライドドアの裏面の下端縁に沿って設けた庫内空気の洩れ防止用ラバー部材が、貯蔵庫の前面から後退する段差に弾接する。従って、該スライドドアと貯蔵庫の前面との隙間が塞がれ庫内空気の洩れを確実に防止できる。また、スライドドアの上下動の際には、庫内空気の洩れ防止部材が貯蔵室の前面を摺擦して、傷を付けたりスライドドアの上下動の抵抗となったりすることもない。庫内空気の洩れ防止用ラバー部材を用いたから、スライドドアの全閉位置が一定でなくばらついてもその分撓んで弾接でき、確実にスライドドアと貯蔵室の前面との隙間を塞ぐことができ、貯氷庫や冷却貯蔵庫等にも適用できる。
【００１４】
【発明の実施の形態】
（第１実施形態）
本発明を貯氷庫に適用した第１実施形態について添付図面を参照して説明する。図１は貯氷庫１の正面図であって、右半分はフロントパネル２を省略して示してある。開口３を形成したフロントパネル２は、貯氷室４の前面４ａを覆って取り付けられている。フロントパネル２の開口３は、貯氷室４の前面４ａの上部に開口した氷取り出し口５に対応している。氷取り出し口５の下縁は、貯氷室４内に向かって下がる傾斜面５ａが形成されている。
【００１５】
また、氷取り出し口５の両側縁に沿って、ガイドレール６が配設されている。左右のガイドレール６の上端間には、氷取り出し口５の上端縁に沿って配置されたレール部材７が取り付けられている。図２及び図３に示すように、ガイドレール６及びレール部材７は、摩擦抵抗の小さい樹脂（高密度ポリエチレン樹脂）製であって、ガイドレール６にはガイド溝６ａが、レール部材７には係入溝７ａがそれぞれ形成されている。
【００１６】
ポリエチレン樹脂製のスライドドア１１は、前面上部にハンドル１２が取り付けられ、裏面の下端縁に沿ってジュラコン（商品名）製の冷気洩れ防止部材１３がチャンネル部材により固定されている。該冷気洩れ防止部材１３の両側端は、スライドドア１１の両側端よりも突出させ、その突出部１４をロック部材としてその上面には傾斜案内面１５が形成され、下面には係合ロック面１６が形成されている。
【００１７】
上記構成のスライドドア１１は、ガイドレール６により案内されて上下動する。このとき、スライドドア１１の両側端部がガイドレール６のガイド溝６ａに嵌まって摺擦する。また、この上下動の際、冷気洩れ防止部材１３の裏面は、貯氷室４の前面４ａを摺擦する。レール部材７の係入溝７ａには、上昇して氷取りだし口５を全閉したスライドドア１１の上端部が係入するようになっている。
【００１８】
また、貯氷室４の前面４ａには、図４に示すように左右のガイドレール６の下端に連続させて、ガイド部材２１が対称状に配設されている。ガイド部材２１は、それぞれスライドドア１１の両側端を嵌めて案内するガイドレール部２２が形成されている。そして、スライドドア１１の上下動の際には、冷気洩れ防止部材１３の突出部１４の突出端がガイドレール部２２の溝底２３を摺擦する。
【００１９】
また、溝底２３には上下２箇所に開口２４，２５が形成されている。該開口２４，２５には、それぞれガイド部材２１に固定した弾接ロック部材である板バネ２６のくの字形屈曲部２７を突出させて、板バネ２６のバネ弾力をスライドドア１１の両側端面若しくは冷気洩れ防止部材１３の突出部１４に作用させる。
【００２０】
そして、スライドドア１１を上昇させて氷取り出し口５を全閉したとき、上方の板バネ２６のくの字形屈曲部２７が冷気洩れ防止部材１３の突出部１４の係合ロック面１６に係合してロックするようになっている。また、開口２４の下部口縁２４ａ及び開口２５の上下の口縁２５ａ，２５ｂは、それぞれ溝底２３の裏側である外側へ屈曲させて、溝底２３を摺擦する冷気洩れ防止部材１３の突出部１４やスライドドア１１の側端面に、傷が付いたり偏磨耗したりしないようにしている。
【００２１】
貯氷室４の前面４ａの下部には、スライドドア１１が下降して氷取り出し口５を開いたとき、該スライドドア１１の下端が当接するストッパ２８が固定されている。該ストッパ２８には、当接時の衝撃を吸収する緩衝パッド２９が取り付けられている。そして、ストッパ２８の下方には、貯氷室４の前面４ａを伝い落ちる水滴を集める樋３０が固定されている。樋３０には、集まった水滴を貯氷庫１の下部に排出するドレンパイプ３１が取り付けられている。
【００２２】
上記構成の貯氷庫１は、ハンドル１２を引き上げると、冷気洩れ防止部材１３の突出部１４の傾斜案内面１５が、順次下方及び上方の板バネ２６のくの字形屈曲部２７を開口２５，２４外に排除しながら上昇する。そして、氷取りだし口５を全閉すると、上方の板バネ２６のくの字形屈曲部２７が冷気洩れ防止部材１３の突出部１４の係合ロック面１６に係合して下降不能にロックする。
【００２３】
このとき、スライドドア１１の両側端部が、ガイドレール６のガイド溝６ａに嵌まり、上端部が氷取りだし口５の上縁に沿って配設したレール部材７の係入溝７ａに係入する。さらに、冷気洩れ防止部材１３の裏面が貯氷室４の前面４ａに接触し、冷気洩れ防止部材１３の突出端がガイドレール部２２の溝底２３に接触しているから、氷取り出し口５が気密に閉塞され冷気洩れが生じることがない。
【００２４】
板バネ２６のバネ弾力に抗してハンドル１２を押し下げると、冷気洩れ防止部材１３の突出部１４のロック傾斜面１６が、板バネ２６のくの字形屈曲部２７を開口２４外へ排除してスライドドア１１が下降する。冷気洩れ防止部材１３の突出部１４が板バネ２６のくの字形屈曲部２７を通過すると、該くの字形屈曲部２７が開口２４からガイドレール部２２に突出して、スライドドア１１の側端面に弾接してバネ弾力を作用させる。これにより、下降するスライドドア１１に一定の制動力が及ぶ。
【００２５】
スライドドア１１が下降端に近づき、冷気洩れ防止部材１３の突出部１４のロック傾斜面１６が下方の板バネ２６のくの字形屈曲部２７を開口２４外へ排除して、該くの字形屈曲部２７を通過すると、上記と同様にスライドドア１１の側端面にバネ弾力が作用する。上下２個の板バネ２６のバネ弾力が作用して、下降するスライドドア１１に及ぶ制動力が増加する。そして、スライドドア１１の下端がストッパ２８の緩衝パッド２９に当接して停止し、氷取り出し口５を全開する。
【００２６】
上記作用の貯氷庫１は、氷取りだし口５の全閉位置では、スライドドア１１の下端に固定され両側端から突出する突出部１４の係合ロック傾斜面１６に、板バネ２６のくの字形屈曲部２７が係合してスライドドア１１を全閉位置に確実にロックできる。そして、上下動するスライドドア１１には、板バネ２６が弾接して制動力が作用するから、スライドドア１１が自由落下してしまうことがない。
【００２７】
また、スライドドア１１の全閉時、該スライドドア１１と貯氷室４の前面４ａとの隙間を塞ぐことができ断熱性能を向上できるとともに、冷気洩れを防止できて貯氷室４の前面４ａに結露を生じることがない。そして、冷気洩れ防止部材１３の裏面が貯氷室４の前面４ａに接触し、冷気洩れ防止部材１３の突出端がガイドレール部２２の溝底２３に接触しているから、氷取り出し口５が気密に閉塞され冷気洩れが生じることがない。
【００２８】
さらに、水滴がスライドドア１１に付着して滑りやすくなっても、係合ロック面１４をスライドドア１１の両側端から突出させて、板バネ２６のくの字形屈曲部２７を係合させてロックするようにしたから、確実にスライドドア１１を全閉位置に保持することができる。
【００２９】
また、板バネ２６のくの字形屈曲部２７が突出する開口２４の下部口縁２４ａ及び開口２５の上下の口縁２５ａ，２５ｂは、それぞれ溝底２３の裏側である外側へ屈曲させているから、溝底２３を摺擦する冷気洩れ防止部材１３の突出部１４やスライドドア１１の側端面に、傷が付いたり偏磨耗したりすることがなく軽快にスライドドア１１を開閉できる。
【００３０】
さらに、氷取り出し口５の下縁を貯氷室４内に向かって下がる傾斜面５ａとしたから、氷を掬い出すスコップ等が当たって氷取り出し口５の口縁に傷を付けることもなく、取り出し損なった氷は、貯氷室４内に滑り落ち口縁上に残ってしまうこともない。そして、冷気洩れ防止部材１３の両端部に係合ロック形成して一体成形部品としたから、別々に取り付ける必要がなく取り付け作業が簡単となる。
【００３１】
尚、係合ロック面１４をスライドドア１１の両側端から突出させる代わりに、図５に示すようにスライドドア１１の両側面に係合凹部１１ａを形成し、板バネ２６のくの字形屈曲部２７を係合させてスライドドア１１をロックするようにしてもよい。
【００３２】
また、上下２箇所に配設した板バネ２６の上方のものを、図６に示すようにスライドドア１１の開閉移動距離Ｌ内に配設することにより、スライドドア１１の開閉移動中は、少なくとも上下の何れかの板バネ２６のくの字形屈曲部２７をスライドドア１１の両側端面に弾接させることができ、スライドドアのガタツキを防止して円滑に開閉移動できる。
【００３３】
さらに、図７に示すようにスライドドア１１の開閉移動距離Ｌを、該スライドドア１１の縦寸法ｗより少なくする。そして、開閉移動距離Ｌの上端に移動して、氷取りだし口５を全閉したときのスライドドア１１の下端位置ｒａと、開閉移動距離Ｌの下端に移動して氷取りだし口５を全開したときのスライドドアの上端位置ｒｂとの間に板バネ２６を配設する。
【００３４】
これにより、左右で一対の板バネ２６を一組用意するだけで、全閉位置では板バネ２６のくの字形屈曲部２７が、スライドドア１１の下端に設けた冷気洩れ防止部材１３の突出部１４係合ロック面１６に係合してロックできる。また、スライドドア１１が下降移動して開閉移動距離Ｌの下端の全開位置に達するまで、くの字形屈曲部２７がスライドドア１１の側端面に弾接して、下降するスライドドア１１に一定の制動力を及ぼすことができる。
【００３５】
上記したスライドドア１１は下降させて氷取りだし口５を開くが、図８に示すようにスライドドア１１を上昇させて、貯氷庫１の前面の下方に設けた開口３に対応する氷取りだし口５を開く形態とすることもできる。
【００３６】
（第２実施形態）
図９は本発明の第２実施形態を示した断面図である。図９に示すように冷気洩れ防止用部材１３の代わりに、冷気洩れ防止用ラバー部材３３をチャンネル部材によりスライドドア１１の裏面の下端縁に沿って取り付け、スライドドア１１が全閉位置にロックされた時、貯氷室４の前面４ａから後退する段差４ｂに弾接するようにしたものである。これにより、スライドドア１１と貯氷室４の前面４ａとの隙間が塞がれ冷気洩れを確実に防止できる。
【００３７】
そして、スライドドア１１の上下動の際には、冷気洩れ防止用ラバー部材３３の先端が貯氷室４の前面４ａに摺擦しないように隙間を設けてある。冷気洩れ防止用ラバー部材３３であるから、スライドドア１１の全閉位置が一定でなくばらついても、確実に段差４ｂに弾接でき、スライドドア１１と貯氷室４の前面４ａとの隙間を塞ぐことができる。
【００３８】
図１０は、本発明の第２実施形態の変形例を示した断面図である。図１０に示すように冷気洩れ防止部材として、貯氷室４の前面４ａを先端で摺擦する弾性ヒレ部材４３を、スライドドア１１の裏面の下端縁に沿って取り付け、スライドドア１１と貯氷室４の前面４ａとの隙間を塞ぎ、冷気洩れを防止するようにしたものである。弾性ヒレ部材４３であるから、貯氷室４の前面４ａに傷を付けることもなく、スライドドア１１の上下動に殆ど影響を及ぼすこともない。
【００３９】
上記実施形態では貯氷庫を例示して説明したが、本発明は冷蔵庫や冷凍庫等の冷却貯蔵庫や単なる貯蔵庫のスライドドアにも適用できる。
【図面の簡単な説明】
【図１】貯氷庫の正面図であって、右半分はフロントパネルを省略して示してある。
【図２】スライドドアが全閉された状態の図１に於けるＡ−Ａ線拡大断面図である。
【図３】同、Ｂ−Ｂ線拡大断面図である。
【図４】全閉位置でスライドドアがロックされた状態を示した要部の拡大断面図である。
【図５】ロック形態の変形例を示した要部の正面図である。
【図６】スライドドアをロックする板バネの配設位置を示した説明図である。
【図７】スライドドアをロックする板バネの他の配設位置を示した説明図である。
【図８】スライドドアの開閉形態を示した説明図である。
【図９】第２実施形態を示した要部の拡大断面図である。
【図１０】第２実施形態の変形例を示した要部の拡大断面図である。
【符号の説明】
１...貯氷庫
２...フロントパネル
３...開口
４...貯氷室
４ａ...前面
４ｂ...段差
５...氷取り出し口
５ａ...傾斜面
６...ガイドレール
６ａ...ガイド溝
７...レール部材
７ａ...係入溝
１１...スライドドア
１３...冷気洩れ防止部材
１４...突出部
１５...傾斜案内面
１６...係合ロック面
２１...ガイド部材
２２...ガイドレール部
２３...溝底
２４，２５...開口
２４ａ，２５ａ，２５ｂ...口縁
２６...板バネ
２７...くの字形屈曲部
３３... 冷気洩れ防止用ラバー部材
【図１】
0003810644.tif 000002
【図２】
0003810644.tif 000003
【図３】
0003810644.tif 000004
【図４】
0003810644.tif 000005
【図５】
0003810644.tif 000006
【図６】
0003810644.tif 000007
【図７】
0003810644.tif 000008
【図８】
0003810644.tif 000009
【図９】
0003810644.tif 000010
【図１０】
0003810644.tif 000011